(57)【要約】【課題】パネルの着脱作業の作業性を向上させるとともに組立工数が削減された照明器具を提供する。【解決手段】照明器具は、枠体２と、透光性のパネル３と、バネ１とを備える。枠体２は、ダボ２５を下面に有する上板部２１と、下板部２２と、側板部２３とを備える。パネル３は、下板部２２の上面に載せられて光源の下方に配置され、光源からの光はパネル３を透光し、下板部２２の矩形状の孔である開口部５１から照明する。バネ１は、ダボ２５を孔１６で遊嵌して上板部２１の下面を上方に押す当接片１１と、パネル３の上面を下方に押す接触片１２、１２と端片１３、１３とを一体に備え、長手方向における中心線に対して左右対称である。ダボ２５と孔１６によって位置が規制されたバネ１によって、パネル３が枠体２に着脱可能に保持される。【選択図】図１
2013016258.tif 000002
【特許請求の範囲】
【請求項１】
上板部及び下板部を有する枠体と、前記下板部の上面に載せられて光源の下方に配置される透光性のパネルと、前記上板部の下面と前記パネルの上面との間に着脱自在に配置されて前記パネルを下方に押すバネと、前記枠体に対する前記バネの取付位置を規制する規制部とを有したことを特徴とする照明器具。
【請求項２】
前記バネは、前記上板部の下面に当接する当接片と、前記当接片の両端からそれぞれ前記パネル側に突出して前記パネルを下方に押す接触片とを一体に備え、両側の前記接触片は前記当接片を間にして対称な形状に形成されたことを特徴とする請求項１記載の照明器具。
【発明の詳細な説明】
【技術分野】
【０００１】
本発明は、照明器具に関するものである。
【背景技術】
【０００２】
従来、天井に設置される照明器具として、例えば特許文献１に開示されるものがあった。この照明器具は、天井の上方に配置される天蓋体と、天井の開口部に周辺部を載せた状態で開口部を塞ぐ天井照明カバーとを備える。天井照明カバーは板バネによって開口部の周縁に押し付けられており、天井照明カバーががたつきなく取りつけられている。尚、板バネの他端はリベットにより天蓋体に固定されている。
【先行技術文献】
【特許文献】
【０００３】
【特許文献１】特開２００９−２８３２０４号公報
【発明の概要】
【発明が解決しようとする課題】
【０００４】
ところで天井照明カバーは長期間使用されると、汚れや埃などが蓄積する場合があるため、定期的なメンテナンスが必要である。メンテナンスのために天井照明カバーを取り外し又は取り付け作業をする際、上述のようにバネが照明器具に固定されていると、バネを上側にたわめながら作業をする必要があるため、作業がやりにくいという問題があった。また、バネを固定しているため組立工数が増えるという問題があった。
【０００５】
本発明は、上記事由に鑑みてなされたものであり、その目的は、パネルの着脱作業の作業性を向上させるとともに組立工数が削減された照明器具を提供することにある。
【課題を解決するための手段】
【０００６】
上記課題を解決するために本発明の照明器具は、上板部及び下板部を有する枠体と、前記下板部の上面に載せられて光源の下方に配置される透光性のパネルと、前記上板部の下面と前記パネルの上面との間に着脱自在に配置されて前記パネルを下方に押すバネとを備える。そして、前記枠体に対する前記バネの取付位置を規制する規制部を有したことを特徴とする。
【０００７】
この照明器具において、前記バネは、前記上板部の下面に当接する当接片と、前記当接片の両端からそれぞれ前記パネル側に突出して前記パネルを下方に押す接触片とを一体に備え、両側の前記接触片は前記当接片を間にして対称な形状に形成されたことが好ましい。
【発明の効果】
【０００８】
本発明では、パネルの着脱作業の作業性を向上させるとともに組立工数を削減できるという効果がある。
【図面の簡単な説明】
【０００９】
【図１】（ａ）は実施形態における照明器具のバネ部の断面図である。（ｂ）は同上の（ａ）を下から見たバネの下面図である。（ｃ）は同上の（ａ）を左から見たバネ部の断面図である。
【図２】（ａ）は同上の照明器具の側面断面図であり、（ｂ）は同上の照明器具の下面図である。
【発明を実施するための形態】
【００１０】
以下では照明器具の実施形態について図１、図２に基づいて説明する。尚、以下の説明では、図２（ｂ）の左右方向をＸ軸方向、上下方向をＹ軸方向、図２（ａ）の上下方向をＺ軸方向とする。
【００１１】
照明器具Ａは、例えば天井に埋設されて下方を照明する器具であり、図１、図２に示すように、本体５と、直管形の蛍光灯４１と、ソケット４２、４２と、点灯制御回路（図示せず）と、枠体２と、パネル３と、バネ１とを備える。尚、照明器具Ａは埋設型でなくても、天井直付けであってもよい。
【００１２】
本体５は、図２（ａ）（ｂ）に示すように、下面に開口部５１を有する高さの低い箱形状の金属製のケースと、端子台（図示せず）と、開口部５１に枠体２を着脱可能に取り付ける受け金具（図示せず）とを備える。本体５は天井に固定され、天井裏に配線された電源ケーブル（図示せず）が本体５の端子台に電気的に接続され、端子台を介して点灯制御回路に電力が供給されている。
【００１３】
点灯制御回路は、ソケット４２、４２に両端の口金が支持された蛍光灯４１に点灯電力を供給し、蛍光灯４１を点灯させる。尚、光源は１灯でも複数灯でもよい。また、光源の種類も蛍光灯４１に限定されるものではなく、ＬＥＤでもよい。
【００１４】
パネル３は、図２（ａ）（ｂ）に示すように、例えば透光性のアクリル樹脂から形成された乳白の平板であり、枠体２に保持されて本体５の開口部５１を塞ぐ。蛍光灯４１からの光は、パネル３を透過して開口部５１から下方に照射され、下方の照明空間を照明する。尚、パネル３の形状は平板に限定されるものではなく、枠体２の下板部２２に載せられる周縁部が下板部２２の上面と面で当接していれば、他の部位に下に凸な曲面を有していても構わない。
【００１５】
枠体２は、金属材料からなり、図１（ａ）（ｃ）と図２（ａ）に示すように、上板部２１と、下板部２２と、側板部２３と、本体５側の受け金具に対応する引掛金具（図示せず）とを備え、本体５の開口部５１に取り付けられている。尚、図１（ａ）（ｃ）はバネ１とバネ１の周辺部を示した図で、図１（ａ）は図２（ａ）のＥ部の拡大図であり、図１（ｃ）は図２（ａ）のＦ部の拡大図である。受け金具及び引掛金具には従来周知のものが使用され、その説明は省略する。受け金具及び引掛金具によって、枠体２は本体５から着脱可能となり、蛍光灯４１の交換時やパネル３のメンテナンス時などに枠体２を本体５から外すことができる。
【００１６】
上板部２１は、図１（ｃ）と図２（ａ）（ｂ）に示すように、中央に矩形の孔が設けられた矩形状の枠体である。上板部２１の外縁のＸ軸及びＹ軸方向の寸法は、長方形のパネル３の寸法をそれぞれ上回り、上板部２１の外縁と内縁との間の幅は一定でバネ１の短手方向の幅よりも長い。上板部２１の下面には、半球状の突起物であるダボ２５がバネ１の取付位置に設けられる。本実施形態では、各長辺の３カ所と各短辺の１カ所にバネ１が配置されているが、バネ１の数及び取付位置はパネル３の大きさに応じて変更が可能である。ダボ２５は、上板部２１の幅方向の略中央部における、バネ１の孔１６にダボ２５を遊嵌しつつ枠体２にバネ１を差し込んでも側板部２３にバネ１が干渉しない位置に設けられる。尚、孔１６にダボ２５が遊嵌した状態で、ダボ２５を中心にＸＹ平面上で回転運動する力がバネ１に働いた時に、側板部２３がバネ１の回転運動を阻害できるように、バネ１が側板部２３に干渉しない範囲で側板部２３からのダボ２５の距離を短くした方が好ましい。
【００１７】
下板部２２は、図１（ｃ）と図２（ａ）（ｂ）に示すように、上板部２１の下側に上板部２１と平行に対向し、中央に矩形の開口部５１が設けられた矩形状の枠体である。下板部２２の外縁のＸ方向及びＹ方向の寸法は上板部２１の外縁寸法と同じであり、下板部２２の内縁のＸ方向及びＹ方向の寸法は上板部２１の矩形孔の寸法よりも短い。
【００１８】
側板部２３は、上板部２１の外縁と下板部２２の外縁との間に、上板部２１及び下板部２２と一体に設けられ、上板部２１に垂直（ＹＺ平面とＺＸ平面）な４つの矩形板からなる。
【００１９】
尚、上板部２１、下板部２２、側板部２３は一体品であっても、別々の部品であってもよい。
【００２０】
バネ１は、弾性を有する矩形板状の金属板をプレス加工して形成され、図１（ａ）（ｂ）に示すように、上板部２１の下面に当接する当接片１１と、接触片１２、１２とを一体に備え、長手方向における中心線に対して左右対称である。
【００２１】
当接片１１は、略中央部に上板部２１下面に設けられたダボ２５を遊嵌する円形状の孔１６を有する矩形板である。接触片１２、１２は、当接片１１の両端から互いに離れるようにそれぞれパネル３側へ斜め下向きに突出してパネル３を下方に押す。尚、接触片１２、１２の先端には上向きに折り返された端片１３、１３が設けられ、端片１３、１３が折り返された付近でパネル３と接触する。
【００２２】
バネ１は枠体２の所定位置に取り付けられた状態では、バネ１の孔１６とダボ２５とが互いに係合することで、枠体２に対するバネ１の取付位置が規制され、バネ１の位置ずれがおきにくくなり、バネ１が所定の取付位置に確実に取り付けられる。作業者は、ダボ２５を目印にして所定の取付位置に正確かつ容易にバネ１を取り付けることができる。また、作業者が、上板部２１下面と当接片１１の上面とが密着しているかを確認することで、ダボ２５が孔１６に確実に遊嵌していることを確認できる。ここにおいて、バネ１の孔１６と枠体２のダボ２５とで規制部が構成されるのであるが、孔１６及びダボ２５によってバネ１の位置が規制されるものであれば、それぞれの形状は円や半球に限定されるものではなく、個数も複数であってもよい。また、バネ１の形状は、上板部２１を上方に、パネル３を下方に押して、かつ、バネ１の位置が規制される規制部を有していれば、上記の形態に限定されるものではない。例えば、接触片１２が曲面で構成されていても、バネ１全体が板バネ以外の弾性体であっても構わない。
【００２３】
ここで、パネル３のメンテナンス等で、枠体２からパネル３を着脱する方法を述べる。
【００２４】
作業者が枠体２からパネル３を取り外すには、まず、作業者が本体５を枠体２から取り外す。次に、バネ１の当接片１１の上面と上板部２１の下面との間に隙間が生じるように、作業者がバネ１に弾性変形させる力を加え、ダボ２５を孔１６の外に出すことで、バネ１の位置の規制を解除する。そして、作業者が、バネ１を側板部２３から離れる方向に移動させて枠体２からバネ１を取り外すと、バネ１によるパネル３の押さえがなくなるので、パネル３を枠体２から取り外すことができる。
【００２５】
一方、枠体２にパネル３を取り付けるには、枠体２が本体５から取り外された状態で、まず作業者が、枠体２の上方からパネル３を下板部２２の上面に載せる。次に、作業者が、バネ１の当接片１１を上側に接触片１２、１２を下側にして、バネ１に弾性変形をする力を加えてバネ１を上板部２１とパネル３との間に差し込む。そして、作業者が、上板部２１の下面に設けられたダボ２５にバネ１の孔１６を遊嵌させた後、バネ１を弾性変形させる力を加えることを止める。これにより、ダボ２５が孔１６によって遊嵌される状態で当接片１１が上板部２１の下面を上方に押し、接触片１２、１２がパネル３の上面を下方に押すため、バネ１の位置が規制され、バネ１のバネ力によってパネル３が枠体２に保持される。そして、作業者が枠体２を本体５に取り付ける。
【００２６】
上述のように、照明器具Ａは、上板部２１及び下板部２２を有する枠体２と、下板部２２の上面に載せられて光源（蛍光灯４１）の下方に配置される透光性のパネル３と、上板部２１の下面とパネル３の上面との間に着脱自在に配置されてパネル３を下方に押すバネ１とを備える。そして、枠体２に対するバネ１の取付位置を規制する規制部を有する。
【００２７】
これにより、着脱可能なバネ１によってパネル３が枠体２に保持されるため、バネ１を外した状態でパネル３の着脱が行えるから、パネル３の着脱作業の作業性が向上するという効果がある。また、バネ１が枠体２に固定されていないため、組立工数が削減され、生産性が向上するという効果もある。さらに、規制部によって、バネ１の位置が枠体２に対して正確に位置決めされることによって、バネ１のズレやはずれが起こりにくくなり、バネ１がパネル３を押す力が安定する。
【００２８】
また、この照明器具Ａにおいて、バネ１は、上板部２１の下面に当接する当接片１１と、当接片１１の両端からそれぞれパネル３側に突出してパネル３を下方に押す接触片１２とを一体に備える。そして、当接片１１の両側の接触片１２は、当接片１１を間にして対称な形状に形成されたことが好ましい。
【００２９】
これにより、バネ１は簡素な構造となる。また、バネ１は左右対称構造のため、作業者がバネ１を枠体２に取り付ける際、バネ１の取り付け方向の間違いが少なくなり、作業性が向上するという効果がある。
【符号の説明】
【００３０】
１  バネ
１１  当接片
１２  接触片
１３  端片
１６  孔（規制部）
２  枠体
２１  上板部
２２  下板部
２３  側板部
２５  ダボ（規制部）
３  パネル
４１  蛍光灯（光源）
４２  ソケット
５  本体
５１  開口部
【図１】
2013016258.tif 000003
【図２】
2013016258.tif 000004